(57)【要約】      （修正有）【課題】装置を複雑化、大型化することなく、緊急検体の割込みを簡単に行うことができる分析装置および分析方法を提供する。【解決手段】検体分析装置１は、検体容器Ｔを保持した検体ラックＲを搬送する搬送装置２と、搬送装置２によって搬送された検体ラックＲに搭載されている検体容器Ｔから検体を吸引し、測定する測定装置３と、情報処理装置と、を備える。情報処理装置は、検体ラックＲの搬送中に緊急検体の測定に移行する旨の指示を受け付けると、搬送装置２による検体ラックＲの搬送を停止させるとともに、検体ラックＲへ緊急検体をセットするようオペレータに促し、再開指示を受け付けると、停止した検体ラックＲの搬送を搬送装置２に再開させ、検体ラックＲにセットされた緊急検体を測定装置３に測定させる。【選択図】図３
2015010961.tif 000002
【特許請求の範囲】
【請求項１】
検体容器を保持した検体ラックを搬送する搬送装置と、
前記搬送装置によって搬送された検体ラックに搭載されている検体容器から検体を吸引し、測定する測定装置と、
制御部と、を備え、
前記制御部は、検体ラックの搬送中に緊急検体の測定に移行する旨の割込み指示を受け付けると、前記搬送装置による検体ラックの搬送を停止させるとともに、前記検体ラックへ緊急検体をセットするようオペレータに促し、再開指示を受け付けると、停止した検体ラックの搬送を前記搬送装置に再開させ、検体ラックにセットされた緊急検体を前記測定装置に測定させる、
ことを特徴とする分析装置。
【請求項２】
請求項１に記載の分析装置において、
前記搬送装置は、検体ラックを所定方向に搬送することで、前記測定装置が検体容器から検体を吸引する吸引位置に検体容器を供給する供給ラインを含み、
前記制御部は、前記供給ラインにおける検体ラックの搬送中に前記割込み指示を受け付けると、前記供給ラインにおける検体ラックの搬送を停止させる、
ことを特徴とする分析装置。
【請求項３】
請求項２に記載の分析装置において、
前記制御部は、検体ラックの複数の保持部のうち少なくとも一つが前記吸引位置またはそれを通過した位置にある状態で、前記割込み指示を受け付け可能である、
ことを特徴とする分析装置。
【請求項４】
請求項３に記載の分析装置において、
前記制御部は、前記再開指示を受け付けると、前記吸引位置に到達していない残りの保持部が順次吸引位置に位置付けられるように前記供給ラインにおける搬送を制御する、
ことを特徴とする分析装置。
【請求項５】
請求項１ないし４の何れか一項に記載の分析装置において、
表示部をさらに備え、
前記制御部は、停止した検体ラックへの緊急検体のセットをオペレータに促すために、検体ラックの複数の保持位置のうち緊急検体をセット可能な保持位置を示す画面を前記表示部に表示させる、
ことを特徴とする分析装置。
【請求項６】
請求項５に記載の分析装置において、
前記画面は、検体ラックの各保持位置に付与された通し番号のうち、緊急検体をセット可能な保持位置の番号を含む、
ことを特徴とする分析装置。
【請求項７】
請求項５または６に記載の分析装置において、
前記画面は、複数の保持位置のうち、緊急検体をセット可能な保持位置が図示された検体ラックの画像を含む、
ことを特徴とする分析装置。
【請求項８】
請求項５ないし７の何れか一項に記載の分析装置において、
前記搬送装置は、検体ラックを一方向に搬送することで、検体ラック上の検体容器を前記測定装置による吸引位置に順次配置するように構成され、
緊急検体をセット可能な保持位置は、前記吸引位置に到達していない保持位置である、ことを特徴とする分析装置。
【請求項９】
請求項５ないし８の何れか一項に記載の分析装置において、
前記搬送装置は、検体ラックを一方向に搬送することで、検体ラック上の検体容器を前記測定装置による吸引位置に順次配置するように構成され、
前記制御部は、搬送停止した検体ラックの複数の保持位置のうち、少なくとも前記吸引位置およびそれより搬送方向の下流側にある保持位置について、緊急検体のセットが不可能であることを前記画面に表示する、
ことを特徴とする分析装置。
【請求項１０】
請求項１ないし９の何れか一項に記載の分析装置において、
オペレータによるマニュアル操作で検体情報の入力を受け付ける情報入力部と、
検体ラック上の検体容器から検体情報を取得する検体情報取得部と、をさらに備え、
前記制御部は、
前記情報入力部を介して緊急検体に関する情報の入力を受け付けてから測定の再開が指示されると、入力を受け付けた情報に基づいて緊急検体を測定するように前記測定装置を制御し、
前記情報入力部を介して緊急検体に関する情報が入力されずに測定の再開が指示されると、前記検体情報取得部によって緊急検体から取得した検体情報に基づいて緊急検体を測定するように前記測定装置を制御する、
ことを特徴とする分析装置。
【請求項１１】
請求項１ないし１０に記載の分析装置において、
前記搬送装置は、停止した検体ラックの動きを規制するための固定機構を備える、
ことを特徴とする分析装置。
【請求項１２】
請求項１１に記載の分析装置において、
前記制御部は、前記割込み指示を受け付けると、前記固定機構によって検体ラックの動きを規制し、前記再開指示を受け付けると、規制を解除する、
ことを特徴とする分析装置。
【請求項１３】
請求項５ないし１２の何れか一項に記載の分析装置において、
前記画面は、セットされた緊急検体の情報を入力する情報入力画面を呼び出すボタンを含む、
ことを特徴とする分析装置。
【請求項１４】
請求項１３に記載の分析装置において、
前記制御部は、前記情報入力画面を介して、搬送停止した検体ラックにセットされる緊急検体に関する情報の入力を受け付けるとともに、既に検体ラックにセットされている検体に関する情報の削除を受け付けることが可能である、
ことを特徴とする分析装置。
【請求項１５】
請求項１３または１４に記載の分析装置において、
前記情報入力画面は、搬送停止した検体ラックの複数の保持位置のそれぞれに対応して測定オーダを入力可能であり、搬送停止した検体ラックのうち、緊急検体をセット不可能な保持位置は、測定オーダの編集が禁止される、
ことを特徴とする分析装置。
【請求項１６】
請求項１ないし１５の何れか一項に記載の分析装置において、
前記制御部は、緊急検体の測定に移行する旨の指示を受け付けた場合、既に吸引された検体の測定を継続するよう前記測定装置を制御する、
ことを特徴とする分析装置。
【請求項１７】
請求項１ないし１６の何れか一項に記載の分析装置において、
前記制御部は、検体ラックに搭載された緊急検体を、当該検体ラック上の未吸引の他の検体に優先して吸引するよう、前記搬送装置および前記測定装置を制御する、
ことを特徴とする分析装置。
【請求項１８】
請求項１ないし１７の何れか一項に記載の分析装置において、
前記制御部は、
検体ラック単位による緊急検体の割込みに関する割込み指示を受け付け、当該割込み指示を受け付けると前記搬送装置による第１検体ラックの搬送を停止させ、当該第１検体ラックとは別の第２検体ラックの前記搬送装置へのセットをオペレータに促し、測定再開の指示を受け付けると、第２検体ラックの搬送を開始させ、第２検体ラックに搭載された緊急検体を測定させるように前記搬送装置および前記測定装置を制御する、
ことを特徴とする分析装置。
【請求項１９】
検体容器を保持した検体ラックを搬送する搬送装置と、
前記搬送装置によって搬送された検体ラックに搭載されている検体容器から検体を吸引し、測定する測定装置と、
制御部と、を備え、
前記制御部は、検体ラックの搬送中に、検体割込みモードとラック割込みモードのいずれかを選択する操作をオペレータから受け付けると、前記搬送装置による検体ラックの搬送を停止させ、
前記検体割込みモードでは、停止した検体ラックへ緊急検体をセットするようオペレータに促し、
前記ラック割込みモードでは、停止した検体ラックを取り除いて緊急検体がセットされたラックを前記搬送装置にセットするようオペレータに促す、
ことを特徴とする分析装置。
【請求項２０】
検体ラックの搬送中に緊急検体の測定に移行する旨の指示を受け付けると、前記搬送装置による検体ラックの搬送を停止させるとともに、前記検体ラックへ緊急検体をセットするようオペレータに促すステップと、
オペレータより再開指示を受け付けると、停止した検体ラックの搬送を前記搬送装置に再開させ、検体ラックにセットされた緊急検体を前記測定装置に測定させるステップと、を有する、
ことを特徴とする分析方法。
【発明の詳細な説明】
【技術分野】
【０００１】
本発明は、検体ラックによって搬送された血液等の検体を処理する分析装置および分析方法に関する。
【背景技術】
【０００２】
従来、検体ラックにセットされた検体を順次吸引して測定する分析装置が知られている。このような分析装置において、通常の順序で測定を行う“通常検体”の測定よりも、緊急に測定を行う必要のある“緊急検体”の測定を優先的に行うために、通常検体の測定順に割り込んで緊急検体を測定できる分析装置が知られている。（たとえば、特許文献１、２参照）。
【先行技術文献】
【特許文献】
【０００３】
【特許文献１】特開２０１１−１７９９１９号公報
【特許文献２】特開２００５−２３３８５５号公報
【発明の概要】
【発明が解決しようとする課題】
【０００４】
上記特許文献に記載の分析装置では、いずれも緊急検体をセットするための専用のホルダが必要であり、吸引部も、ラックとホルダの両方から検体を吸引できるような構成が必要となる。しかしながら、このように分析装置が構成されると、装置の構造が複雑になり、あるいは装置が大型化するという問題が生じる。
【０００５】
一方、専用のホルダを用いることなく、搬送中の検体ラックを強制排出させ、緊急検体を搭載したラックを割り込ませることにより、通常検体の測定順に割り込んで緊急検体を測定することも従来行われている。しかしながら、迅速性が要求される緊急検体の検査において、このような操作を迅速に行うことは不慣れなオペレータにとっては困難であった。
【０００６】
このような事情に鑑み、本発明は、装置を複雑化、大型化することなく、緊急検体の割込みを簡単に行うことができる分析装置および分析方法を提供することを目的とする。
【課題を解決するための手段】
【０００７】
本発明の第１の態様は、分析装置に関する。この態様に係る分析装置は、検体容器を保持した検体ラックを搬送する搬送装置と、前記搬送装置によって搬送された検体ラックに搭載されている検体容器から検体を吸引し、測定する測定装置と、制御部と、を備える。前記制御部は、検体ラックの搬送中に緊急検体の測定に移行する旨の割込み指示を受け付けると、前記搬送装置による検体ラックの搬送を停止させるとともに、前記検体ラックへ緊急検体をセットするようオペレータに促し、再開指示を受け付けると、停止した検体ラックの搬送を前記搬送装置に再開させ、検体ラックにセットされた緊急検体を前記測定装置に測定させる。
【０００８】
本態様に係る分析装置によれば、緊急検体の測定が行われる場合、搬送装置による検体ラックの搬送が停止され、停止された検体ラックへ緊急検体をセットするようオペレータに促す動作が行われる。これにより、操作に不慣れなオペレータであっても、緊急検体の割込みを簡単に行うことができる。また、緊急検体をセットするための機構が必要ないため、装置の複雑化、大型化を抑制することができる。
【０００９】
本態様に係る分析装置において、前記搬送装置は、検体ラックを所定方向に搬送することで、前記測定装置が検体容器から検体を吸引する吸引位置に検体容器を供給する供給ラインを含み、前記制御部は、前記供給ラインにおける検体ラックの搬送中に前記割込み指示を受け付けると、前記供給ラインにおける検体ラックの搬送を停止させる構成とされ得る。
【００１０】
この場合、前記制御部は、検体ラックの複数の保持部のうち少なくとも一つが前記吸引位置またはそれを通過した位置にある状態で、前記割込み指示を受け付け可能であるよう構成され得る。
【００１１】
さらに、前記制御部は、前記再開指示を受け付けると、前記吸引位置に到達していない残りの保持部が順次吸引位置に位置付けられるように前記供給ラインにおける搬送を制御する構成とされ得る。こうすると、割込み指示が受け付けられる前に未吸引であった検体容器に対する検体の吸引を、円滑に進めることができる。
【００１２】
また、本態様に係る分析装置は、表示部をさらに備える構成とされ得る。ここで、前記制御部は、停止した検体ラックへの緊急検体のセットをオペレータに促すために、検体ラックの複数の保持位置のうち緊急検体をセット可能な保持位置を示す画面を前記表示部に表示させるよう構成され得る。こうすると、緊急検体のセット可能位置の把握が容易になる。
【００１３】
この場合、前記画面は、検体ラックの各保持位置に付与された通し番号のうち、緊急検体をセット可能な保持位置の番号を含むよう構成され得る。こうすると、さらに緊急検体のセット可能位置の把握が容易になる。
【００１４】
また、前記画面は、複数の保持位置のうち、緊急検体をセット可能な保持位置が図示された検体ラックの画像を含むよう構成され得る。こうすると、さらに緊急検体のセット可能位置の把握が容易になる。
【００１５】
また、前記搬送装置は、検体ラックを一方向に搬送することで、検体ラック上の検体容器を前記測定装置による吸引位置に順次配置するように構成され、緊急検体をセット可能な保持位置は、前記吸引位置に到達していない保持位置であるよう構成され得る。
【００１６】
また、前記搬送装置は、検体ラックを一方向に搬送することで、検体ラック上の検体容器を前記測定装置による吸引位置に順次配置するように構成され、前記制御部は、搬送停止した検体ラックの複数の保持位置のうち、少なくとも前記吸引位置およびそれより搬送方向の下流側にある保持位置について、緊急検体のセットが不可能であることを前記画面に表示するよう構成され得る。こうすると、緊急検体をセット不可能な保持位置の把握が容易になる。
【００１７】
また、本態様に係る分析装置は、オペレータによるマニュアル操作で検体情報の入力を受け付ける情報入力部と、検体ラック上の検体容器から検体情報を取得する検体情報取得部と、をさらに備える構成とされ得る。ここで、前記制御部は、前記情報入力部を介して緊急検体に関する情報の入力を受け付けてから測定の再開が指示されると、入力を受け付けた情報に基づいて緊急検体を測定するように前記測定装置を制御し、前記情報入力部を介して緊急検体に関する情報が入力されずに測定の再開が指示されると、前記検体情報取得部によって緊急検体から取得した検体情報に基づいて緊急検体を測定するように前記測定装置を制御するよう構成され得る。こうすると、緊急検体に関する情報の入力の有無に拘わらず、緊急検体の測定を行うことができるため、入力の有無に応じたモードを選択す
る手間が省略される。よって、操作に不慣れなオペレータであっても、緊急検体の割込みを簡単且つ迅速に行うことができる。
【００１８】
また、本態様に係る分析装置において、前記搬送装置は、停止した検体ラックの動きを規制するための固定機構を備える構成とされ得る。こうすると、オペレータが緊急検体をセットする際、検体ラックが移動してしまうことによる、検体の誤吸引等の不具合が生じることを防止できる。
【００１９】
この場合、前記制御部は、前記割込み指示を受け付けると、前記固定機構によって検体ラックの動きを規制し、前記再開指示を受け付けると、規制を解除する構成とされ得る。
【００２０】
また、前記画面は、セットされた緊急検体の情報を入力する情報入力画面を呼び出すボタンを含むよう構成され得る。こうすると、操作に不慣れなオペレータであっても、迅速に情報入力画面を呼び出して、緊急検体の情報を入力することができる。
【００２１】
この場合、前記制御部は、前記情報入力画面を介して、搬送停止した検体ラックにセットされる緊急検体に関する情報の入力を受け付けるとともに、既に検体ラックにセットされている検体に関する情報の削除を受け付けることが可能であるよう構成され得る。こうすると、検体ラック上に装着されている通常検体を緊急検体と差し替えて測定することが可能になる。
【００２２】
また、前記情報入力画面は、搬送停止した検体ラックの複数の保持位置のそれぞれに対応して測定オーダを入力可能であり、搬送停止した検体ラックのうち、緊急検体をセット不可能な保持位置は、測定オーダの編集が禁止されるよう構成され得る。こうすると、緊急検体をセット不可能な保持位置に、誤って測定オーダを入力することが回避される。
【００２３】
また、本態様に係る分析装置において、前記制御部は、緊急検体の測定に移行する旨の指示を受け付けた場合、既に吸引された検体の測定を継続するよう前記測定装置を制御するよう構成され得る。こうすると、既に吸引された検体を効率的に処理することがない。
【００２４】
また、本態様に係る分析装置において、前記制御部は、検体ラックに搭載された緊急検体を、当該検体ラック上の未吸引の他の検体に優先して吸引するよう、前記搬送装置および前記測定装置を制御するよう構成され得る。こうすると、検体ラックに搭載された緊急検体の測定を迅速に行うことができる。
【００２５】
また、本態様に係る分析装置において、前記制御部は、検体ラック単位による緊急検体の割込みに関する割込み指示を受け付け、当該割込み指示を受け付けると前記搬送装置による第１検体ラックの搬送を停止させ、当該第１検体ラックとは別の第２検体ラックの前記搬送装置へのセットをオペレータに促し、測定再開の指示を受け付けると、第２検体ラックの搬送を開始させ、第２検体ラックに搭載された緊急検体を測定させるように前記搬送装置および前記測定装置を制御するよう構成され得る。こうすると、検体ラック単位で緊急検体の割込みを行うことができる。
【００２６】
本発明の第２の態様は、分析装置に関する。この態様に係る分析装置は、検体容器を保持した検体ラックを搬送する搬送装置と、前記搬送装置によって搬送された検体ラックに搭載されている検体容器から検体を吸引し、測定する測定装置と、制御部と、を備える。前記制御部は、検体ラックの搬送中に、検体割込みモードとラック割込みモードのいずれかを選択する操作をオペレータから受け付けると、前記搬送装置による検体ラックの搬送を停止させ、前記検体割込みモードでは、停止した検体ラックへ緊急検体をセットするようオペレータに促し、前記ラック割込みモードでは、停止した検体ラックを取り除いて緊
急検体がセットされたラックを前記搬送装置にセットするようオペレータに促す。
【００２７】
本態様に係る分析装置によれば、検体割込みモードが選択されると、上記第１の態様と同様の効果が奏され得る。また、検体割込みモードとラック割込みモードのうち、選択されたモードごとに、適宜必要な操作がオペレータに促されるため、オペレータは、適切な操作を行うことが容易になる。
【００２８】
本発明の第３の態様は、分析方法に関する。この態様に係る分析方法は、検体ラックの搬送中に緊急検体の測定に移行する旨の指示を受け付けると、前記搬送装置による検体ラックの搬送を停止させるとともに、前記検体ラックへ緊急検体をセットするようオペレータに促すステップと、オペレータより再開指示を受け付けると、停止した検体ラックの搬送を前記搬送装置に再開させ、検体ラックにセットされた緊急検体を前記測定装置に測定させるステップと、を有する。
【００２９】
本態様に係る分析方法によれば、上記第１の態様と同様の効果が奏され得る。
【発明の効果】
【００３０】
以上のとおり、本発明によれば、装置を複雑化、大型化することなく、緊急検体の割込みを簡単に行うことができる分析装置および分析方法を提供することができる。
【００３１】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００３２】
【図１】実施の形態に係る検体分析装置の外観の構成を示す図である。
【図２】実施の形態に係る検体容器の外観図、ならびに、検体ラックの外観図および側面図である。
【図３】実施の形態に係る搬送装置と筐体の内部を上側から見た場合の平面図である。
【図４】実施の形態に係る搬送装置と、測定装置と、情報処理装置の構成を示す図である。
【図５】実施の形態に係るメニュー画面と選択画面を示す図である。
【図６】実施の形態に係る検体ラックの搬送と１次取込の処理を示すフローチャートである。
【図７】実施の形態に係る２次分注以降の処理を示すフローチャートである。
【図８】実施の形態に係る割込み処理を示すフローチャートである。
【図９】実施の形態に係る割込み処理を示すフローチャートである。
【図１０】実施の形態に係る指示画面を示す図である。
【図１１】実施の形態に係るオーダ登録画面を示す図である。
【図１２】実施の形態に係るオーダ登録画面のリストと指示画面の画像を示す図である。
【図１３】変更例に係る処理を示すフローチャートである。
【図１４】変更例に係る処理を示すフローチャートである。
【図１５】変更例に係る指示画面を示す図である。
【発明を実施するための形態】
【００３３】
本実施の形態の検体分析装置は、検体（血漿）に試薬を添加することで調製された測定試料に光を照射し、得られた透過光を、凝固法、合成基質法、免疫比濁法または凝集法によって解析することにより、血液の凝固能に関する分析を行う血液凝固分析装置である。
以下、本実施の形態について、図面を参照して説明する。
【００３４】
図１は、検体分析装置１の外観の構成を示す図である。
【００３５】
検体分析装置１は、搬送装置２と、測定装置３（図３、４参照）と、情報処理装置４（図４参照）を備えており、ホストコンピュータ（図４参照）と接続されている。測定装置３と情報処理装置４は、筐体１ａ内に収容されており、筐体１ａの前方には、ハッチングで図示されている扉部１ｂと、タッチパネル式のディスプレイである表示入力部４１が設置されている。オペレータは、扉部１ｂを上方へ移動させることにより、筐体１ａ内にアクセスすることができ、表示入力部４１を操作することにより、情報処理装置４に指示を入力することができる。
【００３６】
搬送装置２は、搬送路２１上の検体ラックＲを搬送する。検体ラックＲは、検体容器Ｔを保持可能に構成されている。測定装置３は、搬送装置２により搬送された検体容器Ｔ内の検体を吸引し、検体ごとに指定された測定オーダに基づいて、吸引した検体に含まれる成分を光学的に測定する。測定装置３により取得された測定データは、情報処理装置４により分析される。
【００３７】
図２（ａ）は、検体容器Ｔの外観図である。
【００３８】
検体容器Ｔは、胴部Ｔ１と、蓋部Ｔ２と、バーコードラベルＴ３を備えている。胴部Ｔ１は、検体を収容するための管状容器であり、上端の開口は蓋部Ｔ２により密封されている。蓋部Ｔ２は、ピアサ３１ａ（図３参照）が上下方向に貫通可能となるよう構成されている。バーコードラベルＴ３は、胴部Ｔ１の側面に貼付されており、バーコードラベルＴ３には、検体ＩＤを含むバーコードが印刷されている。
【００３９】
図２（ｂ）、（ｃ）は、それぞれ、検体ラックＲの外観図と側面図である。なお、図２（ｂ）には、検体ラックＲが搬送路２１上を搬送されるときの座標軸が併せて示されている。
【００４０】
検体ラックＲには、１０本の検体容器Ｔを垂直に保持することが可能となるよう１０個の保持部Ｒ１が形成されている。以下、各保持部Ｒ１の位置を、便宜上、Ｘ軸負方向に向かって順に保持位置ｎ１〜ｎ１０と称する。各保持部Ｒ１のＹ軸負方向側には、開口Ｒ１１が形成されている。検体ラックＲのＹ軸負方向側の下方には、保持部Ｒ１に対応するよう１０個の凹部Ｒ２が形成されている。検体ラックＲのＹ軸負方向側の側面には、バーコードラベルＲ３が貼付されている。バーコードラベルＲ３には、ラックＩＤを含むバーコードが印刷されている。検体ラックＲのＺ軸負方向側の面には、保持部Ｒ１に対応するよう１０個の凹部Ｒ４が形成されている。
【００４１】
なお、検体ラックＲに検体容器Ｔをセットする場合、オペレータは、バーコードラベルＴ３がＹ軸負方向を向くように検体容器Ｔを保持部Ｒ１に保持させる。これにより、後述するバーコードリーダ２５が、開口Ｒ１１を介してバーコードラベルＴ３を読み取ることが可能となる。
【００４２】
図３は、搬送装置２と筐体１ａの内部を上側から見た場合の平面図である。図３において、Ｘ軸正側、Ｙ軸正側およびＺ軸正側は、それぞれ、検体分析装置１の左側、前側および上側に対応する。
【００４３】
搬送装置２の搬送路２１は、右槽２１ａと、中央部２１ｂと、左槽２１ｃからなる。中央部２１ｂは、右槽２１ａの左後方と左槽２１ｃの右後方とを連結している。右槽２１ａ
と左槽２１ｃは、複数の検体ラックＲを収容可能である。オペレータは測定を開始する場合、検体容器Ｔを検体ラックＲにセットし、この検体ラックＲを右槽２１ａにセットする。右槽２１ａの前方と後方には、発光部と受光部からなるセンサｓ１が配されており、センサｓ１により、右槽２１ａに載置された検体ラックＲが検知される。
【００４４】
測定が開始されると、右槽２１ａに載置された検体ラックＲが、送込み機構２２により右槽２１ａの後方まで搬送される。右槽２１ａの後方には、リミットセンサであるセンサｓ２が配されている。センサｓ２により、右槽２１ａの後方に位置付けられた検体ラックＲが検知される。検体ラックＲが右槽２１ａの後方に位置付けられると、バーコードリーダ２３により、この検体ラックＲのバーコードラベルＲ３が読み取られる。
【００４５】
右槽２１ａと中央部２１ｂとの境界部分、および、左槽２１ｃと中央部２１ｂとの境界部分には、横送り機構２４が設けられている。横送り機構２４は、Ｙ軸を中心に回転する爪を有する。この爪は、回転すると、搬送路２１に形成された開口２４ａを介して、搬送路２１の上面側に突出し、検体ラックＲの凹部Ｒ４（図２（ｃ）参照）の側壁に係合する。爪がさらに回転すると、検体ラックＲの凹部Ｒ４（図２（ｃ）参照）の側壁が回転する爪に押され、検体ラックＲが所定距離だけ横方向に送られ、爪は再び搬送路２１の下方に収納される。本実施の形態において、横送り機構２４の爪は、一方向にのみ回転する。すなわち、爪は、開口２４ａから突出した状態で、左方向にのみ移動する。このため、検体ラックＲは、横送り機構２４によって左方向にのみ送られる。横送り機構２４は、爪が開口２４ａを移動する間に送られる検体ラックＲの移動量が、保持部Ｒ１の配置間隔となるように構成されている。つまり、爪が開口２４ａを介して突出してから収納されるまでの一回の動作によって検体ラックＲが移動する距離（１ピッチ）は、隣接する保持部Ｒ１の間隔に等しい。
【００４６】
こうして、検体ラックＲは、右槽２１ａの後方に位置付けられると、横送り機構２４により、右槽２１ａの後方から左槽２１ｃの後方までの間の供給ラインＬを、１ピッチずつ左方向に搬送される。
【００４７】
中央部２１ｂの左右には、２個のセンサｓ３が配されている。センサｓ３は、バネ性を有する接触部を備えており、この接触部の上端は、中央部２１ｂに形成された開口を介してわずかに中央部２１ｂの上面の上側に突出している。検体ラックＲが供給ラインＬを移動すると、検体ラックＲの下面によりセンサｓ３の接触部が下方向に押し込まれる。こうして、センサｓ３により、検体ラックＲが供給ラインＬを移動することが検知される。
【００４８】
検体ラックＲの保持部Ｒ１が位置Ｐ１に位置付けられると、反射型のセンサｓ４により、この保持部Ｒ１に検体容器Ｔが保持されているか否かが検知される。続いて、保持部Ｒ１に保持されている検体容器Ｔが位置Ｐ２に位置付けられると、バーコードリーダ２５により、この検体容器ＴのバーコードラベルＴ３が読み取られる。そして、検体分注部３１のピアサ３１ａが、位置Ｐ２まで水平に駆動され、さらに、位置Ｐ２で下方向に駆動されて、ピアサ３１ａにより検体容器Ｔ内の検体が吸引される。なお、位置Ｐ１と位置Ｐ２との間隔は、検体ラックＲの隣接する保持部Ｒ１の間隔（１ピッチ）に等しい。
【００４９】
検体プレート３２は、測定装置３内に複数配置されており、検体プレート３２には、複数の穴部（ウェル）３２ａが形成されている。ピアサ３１ａにより吸引された検体は、検体プレート３２の穴部３２ａに吐出され、穴部３２ａに収容される。このように、位置Ｐ２に位置付けられている検体容器Ｔから検体が吸引され、吸引された検体が穴部３２ａに吐出される動作を、以下、「１次取込」と称する。
【００５０】
中央部２１ｂの後方には、２個の固定機構２６が配されている。固定機構２６は、押さ
え部２６ａと、アーム２６ｂと、支軸２６ｃを備えている。支軸２６ｃがＹ軸周りに回転されると、アーム２６ｂが支軸２６ｃのまわりを回転する。これにより、押さえ部２６ａが上下方向に移動する。中央部２１ｂ近傍に検体ラックＲが位置付けられているとき、後述する検体割込みの指示がなされると、固定機構２６が駆動され、検体ラックＲの凹部Ｒ２（図２（ｂ）参照）が押さえ部２６ａにより上側から押さえつけられる。これにより、中央部２１ｂ近傍に位置付けられている検体ラックＲが、供給ラインＬ上で動かないように固定保持（ロック）される。なお、供給ラインＬを検体ラックＲが搬送されるとき、押さえ部２６ａは、検体ラックＲの搬送を妨げないよう、凹部Ｒ２よりも上側に位置付けられている。
【００５１】
中央部２１ｂの上方は、図１に示すように扉部１ｂにより覆われているため、検体ラックＲが中央部２１ｂに位置付けられているとき、中央部２１ｂの範囲に含まれる保持部Ｒ１と、この保持部Ｒ１に保持されている検体容器Ｔには、オペレータはアクセスすることができない。なお、中央部２１ｂの範囲は、４つの保持部Ｒ１の配置間隔に相当する。
【００５２】
検体ラックＲに保持されている全ての検体容器Ｔに対して１次取込が行われると、この検体ラックＲは供給ラインＬの左端（左槽２１ｃの後方）まで搬送される。供給ラインＬの左端に位置付けられた検体ラックＲは、押出し機構２７と送込み機構２８により、左槽２１ｃの前方へ搬送される。
【００５３】
キュベット供給部３３は、複数のキュベット３４を収容しており、キュベット３４を１つずつ順次所定位置に供給する。キュベット移送部３５のキャッチャ３５ａは、キュベット３４を把持可能に構成されている。１次取込により穴部３２ａに収容された検体は、ピアサ３１ａにより吸引され、キャッチャ３５ａにより把持されたキュベット３４に吐出される。このように、検体プレート３２の穴部３２ａに収容されている検体が、キュベット３４に吐出される動作を、以下、「２次分注」と称する。そして、以下のように、試料の調製および光学的な測定等の２次分注より後の動作が行われる。
【００５４】
試薬分注部３７のピペット３７ａは、必要に応じて、領域３６ａに配された希釈液をキャッチャ３５ａにより把持されたキュベット３４に添加し、検体と希釈液とを混和する。また、ピペット３７ａは、領域３６ｂに配された試薬を吸引し、適宜、キャッチャ３５ａにより把持されたキュベット３４に吐出する。キュベット移送部３５は、キャッチャ３５ａを揺動させることにより、キュベット３４内の試料を攪拌することができる。
【００５５】
検出部３８は、検体に試薬を添加して調製された分析用試料の加温を行うための機能と、分析用試料の光学的な測定を行うための機能を有する。キャッチャ３５ａにより所定の穴部３８ａにキュベット３４が設置されると、図示しない加温機構によってキュベット３４が所定温度に加温され、キュベット３４内の検体と試薬との反応が進行される。また、キャッチャ３５ａにより所定の穴部３８ａにキュベット３４が設置されると、図示しない光源から照射される光がキュベット３４内の分析用試料に照射される。検出部３８は、図示しない受光部により試料に照射された光を受光し、受光した検出光に基づいて検出信号を出力する。
【００５６】
検出部３８により得られた検出信号は、情報処理装置４の基板４０に出力される。基板４０のＣＰＵ４０１（図４参照）は、検出信号に基づいて検体中の特定の物質の量や活性の度合いを分析し、表示入力部４１に分析結果を含む各種の画面を表示する。こうして、検体の測定が終了する。
【００５７】
図４は、搬送装置２と、測定装置３と、情報処理装置４の構成を示す図である。
【００５８】
搬送装置２は、図３に示したバーコードリーダ２３、２５に加えて、センサ部２０１と、機構部２０２と、インターフェース（Ｉ／Ｆ）２０３を備えている。センサ部２０１は、センサｓ１〜ｓ４を含んでいる。機構部２０２は、送込み機構２２と、横送り機構２４と、固定機構２６と、押出し機構２７と、送込み機構２８を駆動するための機構（ステッピングモータ等）を含んでいる。インターフェース２０３は、搬送装置２の各部と測定装置３のインターフェース３０３に接続されている。
【００５９】
測定装置３は、図３に示した検出部３８に加えて、センサ部３０１と、機構部３０２と、インターフェース（Ｉ／Ｆ）３０３を備えている。センサ部３０１は、測定装置３内の温度センサ等を含んでいる。機構部３０２は、検体分注部３１と、キュベット供給部３３と、キュベット移送部３５と、試薬分注部３７を駆動するための機構（ステッピングモータ等）と、ピアサ３１ａとピペット３７ａに圧力を供給する空圧源等を含んでいる。インターフェース３０３は、測定装置３の各部と、搬送装置２のインターフェース２０３と、情報処理装置４のインターフェース４０３に接続されている。
【００６０】
情報処理装置４は、図３に示した基板４０と表示入力部４１に加えて、ハードディスク４２と、読出装置４３を備えている。基板４０は、ＣＰＵ４０１と、ＲＯＭやＲＡＭからなるメモリ４０２と、インターフェース（Ｉ／Ｆ）４０３を備えている。ＣＰＵ４０１は、メモリ４０２に記憶されているコンピュータプログラムおよびメモリ４０２にロードされたコンピュータプログラムを実行する。
【００６１】
インターフェース４０３は、情報処理装置４の各部に接続されている。インターフェース４０３は、画像データに応じた映像信号を表示入力部４１に出力し、表示入力部４１を介してオペレータにより入力された信号を受け付ける。また、インターフェース４０３は、ハードディスク４２と読出装置４３に情報を出力し、ハードディスク４２と読出装置４３から出力された情報を受け付ける。さらに、インターフェース４０３は、測定装置３のインターフェース３０３と、ホストコンピュータに接続されている。
【００６２】
表示入力部４１は、インターフェース４０３から出力された映像信号に基づいて画像を表示する。ハードディスク４２は、オペレーティングシステムと、ＣＰＵ４０１に実行させるためのコンピュータプログラムと、分析結果等を記憶している。読出装置４３は、ＣＤドライブまたはＤＶＤドライブ等によって構成されており、記録媒体４３ａに記録されたコンピュータプログラムおよびデータを読み出すことができる。
【００６３】
ＣＰＵ４０１は、インターフェース４０３を介して、情報処理装置４の各部を制御すると共に、これら各部から信号を受信する。また、ＣＰＵ４０１は、インターフェース４０３、３０３を介して、測定装置３の各部を制御すると共に、これら各部から信号を受信する。また、インターフェース４０３、３０３、２０３を介して、搬送装置２の各部を制御すると共に、これら各部から信号を受信する。さらに、ＣＰＵ４０１は、インターフェース４０３を介して、ホストコンピュータに対して測定オーダの問合せを行う。
【００６４】
図５（ａ）、（ｂ）は、それぞれ、表示入力部４１に表示されるメニュー画面Ｄ１および選択画面Ｄ２を示す図である。
【００６５】
メニュー画面Ｄ１は、測定開始ボタンＤ１１と、割込みボタンＤ１２を有する。オペレータは、検体の測定を開始するとき、検体容器Ｔが保持された検体ラックＲを右槽２１ａにセットし、測定開始ボタンＤ１１を押下する。また、測定開始ボタンＤ１１により開始された測定中に、緊急に測定を行う必要のある検体（以下、「緊急検体」という）の測定を優先的に行う場合、オペレータは、割込みボタンＤ１２を押下する。割込みボタンＤ１２が押下されると、表示入力部４１に選択画面Ｄ２が表示される。
【００６６】
選択画面Ｄ２は、検体割込みボタンＤ２１と、ラック割込みボタンＤ２２を有している。検体割込みボタンＤ２１は、供給ラインＬにある検体ラックＲの保持部Ｒ１に、緊急検体を収容した検体容器Ｔを保持させる場合（以下、「検体割込み」という）に用いられる。ラック割込みボタンＤ２２は、緊急検体を収容した検体容器Ｔを保持させた検体ラックＲ（以下、「割込みラック」という）を、供給ラインＬにセットする場合（以下、「ラック割込み」という）に用いられる。検体割込みとラック割込みについては、追って、フローチャートを参照して説明する。
【００６７】
図６は、検体ラックＲの搬送と１次取込の処理を示すフローチャートである。この処理は、メニュー画面Ｄ１の測定開始ボタンＤ１１が押下されることにより開始される。
【００６８】
ＣＰＵ４０１は、センサｓ１により右槽２１ａに検体ラックＲがあるかを判定する（Ｓ１１）。右槽２１ａに検体ラックＲがあると（Ｓ１１：ＹＥＳ）、ＣＰＵ４０１は、右槽２１ａにある検体ラックＲを右槽２１ａの後方へ搬送し（Ｓ１２）、バーコードリーダ２３によりバーコードラベルＲ３からラックＩＤを読み取る（Ｓ１３）。続いて、ＣＰＵ４０１は、検体ラックＲを供給ラインＬに沿って左方向に搬送し、検体ラックＲの保持位置ｎ１を位置Ｐ１に位置付ける（Ｓ１４）。そして、ＣＰＵ４０１は、処理を行う検体ラックＲの保持位置を把握するための変数ｉに１をセットする（Ｓ１５）。
【００６９】
次に、ＣＰＵ４０１は、センサｓ４により、位置Ｐ１に位置付けられている保持位置ｎｉに検体容器Ｔが保持されているかを判定する（Ｓ１６）。たとえば、変数ｉの値が１のとき、位置Ｐ１には保持位置ｎ１が位置付けられている。この場合、ＣＰＵ４０１は、保持位置ｎ１の検体容器Ｔの有無を検知する。
【００７０】
続いて、ＣＰＵ４０１は、検体ラックＲを供給ラインＬに沿って保持部Ｒ１の配置間隔だけ左方向に搬送する。これにより、検体ラックＲは１ピッチだけ横方向に送られ（Ｓ１７）、保持位置ｎｉが位置Ｐ２に位置付けられる。そして、ＣＰＵ４０１は、Ｓ１６の検知結果に基づいて、保持位置ｎｉに検体容器Ｔがあるかを判定する（Ｓ１８）。
【００７１】
保持位置ｎｉに検体容器Ｔがあると（Ｓ１８：ＹＥＳ）、ＣＰＵ４０１は、バーコードリーダ２５により、保持位置ｎｉに保持されている検体容器ＴのバーコードラベルＴ３から検体ＩＤを読み取る（Ｓ１９）。なお、検体容器ＴにバーコードラベルＴ３が貼付されていない場合、ＣＰＵ４０１は、この検体容器Ｔを特定するために、適宜検体ＩＤを割り振る。他方、保持位置ｎｉに検体容器Ｔがないと（Ｓ１８：ＮＯ）、処理はＳ２３に進められる。
【００７２】
続いて、ＣＰＵ４０１は、Ｓ１９において取得された検体ＩＤに対応する測定オーダが、オペレータにより表示入力部４１を介して手入力され、ハードディスク４２に記憶されているかを判定する（Ｓ２０）。測定オーダの手入力が行われておらず、取得された検体ＩＤに対応する測定オーダがハードディスク４２に記憶されていないとき（Ｓ２０：ＮＯ）、ＣＰＵ４０１は、ホストコンピュータに検体ＩＤを送信することにより測定オーダの問合せを行い、ホストコンピュータから測定オーダを取得する（Ｓ２１）。他方、測定オーダの手入力が行われており、取得された検体ＩＤに対応する測定オーダがハードディスク４２に記憶されているとき（Ｓ２０：ＹＥＳ）、ホストコンピュータへの測定オーダの問合せは行われない。
【００７３】
次に、ＣＰＵ４０１は、位置Ｐ２に位置付けられている検体容器Ｔに対して１次取込を行う（Ｓ２２）。１次取込が行われることにより、保持位置ｎｉの検体容器Ｔ内の検体が、検体プレート３２の穴部３２ａに収容される。続いて、ＣＰＵ４０１は、変数ｉの値を
１増やして（Ｓ２３）、変数ｉの値が１０より大きいかを判定する（Ｓ２４）。変数ｉの値が１０以下の場合（Ｓ２４：ＮＯ）、処理がＳ１６に戻される。
【００７４】
こうして、保持位置ｎ１〜ｎ１０に対して、Ｓ１６〜Ｓ２３までの処理が順次行われる。変数ｉの値が１０より大きい場合（Ｓ２４：ＹＥＳ）、検体ラックＲの全ての保持位置に対してＳ１６〜Ｓ２３までの処理が完了しているため、ＣＰＵ４０１は、この検体ラックＲを左槽２１ｃへ搬送する（Ｓ２５）。シャットダウンの指示がなければ（Ｓ２６：ＮＯ）、ＣＰＵ４０１は処理をＳ１１に戻す。こうして、後続の検体ラックＲについても、Ｓ１１〜Ｓ２４の処理が同様に行われる。
【００７５】
図７は、２次分注以降の処理を示すフローチャートである。
【００７６】
ＣＰＵ４０１は、検体プレート３２に１次取込済みの検体があるかを判定する（Ｓ５１）。ＣＰＵ４０１は、１次取込を行う場合に、１次取込を行った検体の検体ＩＤと、ピアサ３１ａにより吐出した穴部３２ａの位置とを対応付けた情報をハードディスク４２に記憶している。ＣＰＵ４０１は、かかる情報に基づいて、検体プレート３２に１次取込済みの検体があるかを判定し、１次取込済みの検体がなければ（Ｓ５１：ＮＯ）、処理を待機させる。
【００７７】
１次取込済みの検体があれば（Ｓ５１：ＹＥＳ）、ＣＰＵ４０１は、２次分注が可能かを判定する（Ｓ５２）。ＣＰＵ４０１は、キャッチャ３５ａとピアサ３１ａの動作状態に応じて２次分注が可能かを判定し、２次分注が可能でなければ（Ｓ５２：ＮＯ）、処理を待機させる。
【００７８】
２次分注が可能であれば（Ｓ５２：ＹＥＳ）、ＣＰＵ４０１は、ラック割込みにより緊急フラグが設定された検体があるかを判定する（Ｓ５３）。ラック割込みの指示がなされると、供給ラインＬ上の検体ラックＲにセットされた検体容器Ｔ内の検体について、後述のように、緊急検体であることを示す緊急フラグが付与される。緊急フラグは、検体ＩＤに対応付けてハードディスク４２に記憶されている。ラック割込みにより緊急フラグが設定された検体があると（Ｓ５３：ＹＥＳ）、ＣＰＵ４０１は、緊急フラグが設定された検体について２次分注を行う（Ｓ５４）。
【００７９】
このとき、緊急フラグが設定されていない検体、すなわち、ラック割込みの指示がなされる前に１次取込が行われて検体プレート３２の穴部３２ａに収容された検体については、緊急フラグが設定された検体の２次分注が終わるまで、２次分注は行われない。すなわち、このような検体が検体プレート３２にあったとしても、この検体の２次分注は行われず、緊急フラグが設定された検体の２次分注が優先的に行われる。
【００８０】
他方、ラック割込みにより緊急フラグが設定された検体がないと（Ｓ５３：ＮＯ）、ＣＰＵ４０１は、検体プレート３２にある検体について、順次、２次分注を行う（Ｓ５５）。なお、検体割込みにより緊急フラグが設定された検体があったとしても、この検体の２次分注は、既に１次取込が行われた検体よりも先に行われることなく、検体プレート３２にある検体について、順次（たとえば到着順に）２次分注が行われる。
【００８１】
続いて、ＣＰＵ４０１は、２次分注が行われた検体について、２次分注より後の動作を開始する（Ｓ５６）。これにより、２次分注によりキュベット３４に吐出された検体に対して、試薬が混和され、検出部３８において測定が行われる。シャットダウンの指示がなければ（Ｓ５７：ＮＯ）、ＣＰＵ４０１は処理をＳ５１に戻す。こうして、Ｓ５１〜Ｓ５６の処理が繰り返し行われる。
【００８２】
図８、図９（ａ）、（ｂ）は、割込み処理を示すフローチャートである。この処理は、メニュー画面Ｄ１の測定開始ボタンＤ１１が押下されることにより開始される。
【００８３】
図８を参照して、メニュー画面Ｄ１の割込みボタンＤ１２が押下されると（Ｓ１０１：ＹＥＳ）、ＣＰＵ４０１は、表示入力部４１に、図５（ｂ）に示す選択画面Ｄ２を表示する（Ｓ１０２）。なお、選択画面Ｄ２の検体割込みボタンＤ２１とラック割込みボタンＤ２２は、それぞれ、検体割込みとラック割込みが可能な場合のみ、押下可能な状態となる。具体的には、検体割込みボタンＤ２１は、供給ラインＬ上の検体ラックＲの保持位置ｎ１０が、中央部２１ｂの右端位置よりも右側に位置付けられている場合にのみ、押下可能な状態となる。また、ラック割込みボタンＤ２２は、供給ラインＬ上の検体ラックＲの保持位置ｎ１０が、位置Ｐ２に位置付けられている場合および位置Ｐ２よりも右側に位置付けられている場合にのみ、押下可能な状態となる。
【００８４】
以下、検体割込みボタンＤ２１が押下される場合の処理と、ラック割込みボタンＤ２２が押下される場合の処理について、順に説明する。
【００８５】
検体割込みボタンＤ２１が押下されると（Ｓ１０３：ＹＥＳ）、ＣＰＵ４０１は、搬送路２１上にある検体ラックＲの搬送を停止させる（Ｓ１０４）。具体的には、図６に示す処理において、検体ラックＲを搬送する処理（Ｓ１２、Ｓ１４、Ｓ１７）が停止される。すなわち、処理がＳ１２、Ｓ１４、Ｓ１７に到達すると、検体ラックＲの搬送が行われることなく、到達したステップにおいて処理が停止される。
【００８６】
続いて、ＣＰＵ４０１は、固定機構２６の押さえ部２６ａを下方に移動させて、供給ラインＬ上の検体ラックＲが動かないようにロックする（Ｓ１０５）。なお、検体ラックＲが供給ラインＬの右端にある場合は、この検体ラックＲはロックされない。そして、ＣＰＵ４０１は、検体容器Ｔに対する１次取込を中断する（Ｓ１０６）。具体的には、図６に示す処理において、Ｓ２２の処理が中断される。
【００８７】
なお、Ｓ１０６では、１次取込が中断されるものの、既に１次取込が行われて検体プレート３２の穴部３２ａに収容されている検体については、図７を参照して説明したように、２次分注以降の動作は継続して行われる。
【００８８】
続いて、図９（ａ）を参照して、ＣＰＵ４０１は、表示入力部４１に、図１０（ａ）に示す指示画面Ｄ３を表示する（Ｓ１０７）。指示画面Ｄ３の画像Ｄ３１には、扉部１ｂにより覆われていることを示す領域Ｄ３１ａ内の保持位置（図９（ａ）では保持位置ｎ４〜ｎ７）と、ピアサ３１ａによる吸引が行われる位置Ｐ２（図９（ａ）では保持位置ｎ５）と、位置Ｐ２よりも左側（搬送方向の下流側）に位置する保持位置（図９（ａ）では保持位置ｎ１〜ｎ４）とが、緊急検体をセットすることができない保持位置としてハッチングで示される。また、画像Ｄ３１には、位置Ｐ２よりも右側に位置し、且つ、扉部１ｂにより覆われていない保持位置（図９（ａ）では保持位置ｎ８〜ｎ１０）が、緊急検体をセットすることができる保持位置として示される。オペレータは画像Ｄ３１を参照して、割込み可能な保持位置に緊急検体を収容した検体容器Ｔをセットする。
【００８９】
図９（ａ）に戻り、オーダ手入力ボタンＤ３２が押下されると（Ｓ１０８：ＹＥＳ）、ＣＰＵ４０１は、表示入力部４１に、図１１に示すオーダ登録画面Ｄ５を表示する（Ｓ１０９）。オーダ登録画面Ｄ５のリストＤ５２には、保持位置ｎ１〜ｎ１０に関する情報が示されると共に、緊急検体をセットできないことを示す保持位置（図１１では保持位置ｎ１〜ｎ７）に対応する行が、斜線で示される。このように斜線で示される行については、オペレータは編集することができない。
【００９０】
図１１において、たとえば保持位置ｎ８に緊急検体の情報を入力する場合、オペレータは、リストＤ５２の保持位置ｎ８に対応する行を押下することにより保持位置ｎ８を選択する。そして、オペレータは、ボタンＤ５３を押下して、表示入力部４１に表示されるキーボード画像（図示せず）を押下することにより検体ＩＤを入力する。また、オペレータは、ボタンＤ５４を押下して、この検体が緊急検体であることを示す緊急フラグを設定する。さらに、オペレータは、領域Ｄ５１内のボタンを押下することにより、ボタンに対応する測定項目を、この検体の測定オーダとして登録する。
【００９１】
こうして、保持位置ｎ８に緊急検体の情報が入力されると、図１２（ａ）に示すように、保持位置ｎ８に対応する行に、検体ＩＤと測定項目が表示され、さらに、“opt”に緊
急フラグが設定されていることを示す“Ｓ”が表示される。そして、オーダ登録画面Ｄ５のＯＫボタンＤ５６が押下されると、図１２（ｂ）に示すように、指示画面Ｄ３の画像Ｄ３１に、保持位置ｎ８に緊急検体がセットされたことを示す“Ｓ”が表示される。
【００９２】
なお、オーダ登録画面Ｄ５のボタンＤ５５が押下されると、リストＤ５２において選択した行の情報が削除される。こうすると、たとえば、予め検体ＩＤと測定オーダが保持位置ｎ８に登録されているような場合でも、ボタンＤ５５を押下することにより、この検体についての情報を削除することができる。ボタンＤ５５は、たとえば、検体ラックＲに既にセットされた別の検体と緊急検体とを入れ替える場合に、既に入力されている測定オーダの行を破棄して緊急検体の測定オーダを入力する場合に使用する。
【００９３】
図９（ａ）に戻り、オーダ登録画面Ｄ５のＯＫボタンＤ５６が押下されると、ＣＰＵ４０１は、上記のように指示画面Ｄ３の画像Ｄ３１を更新して、リストＤ５２に登録された情報（保持位置と、検体ＩＤと、緊急フラグと、測定オーダ）をハードディスク４２に記憶する（Ｓ１１０）。そして、処理がＳ１０８に戻される。なお、オーダ登録画面Ｄ５のキャンセルボタンＤ５７が押下されると、リストＤ５２に登録された情報は記憶されることなく破棄され、処理がＳ１０８に戻される。
【００９４】
指示画面Ｄ３の測定再開ボタンＤ３３が押下されると（Ｓ１１１：ＹＥＳ）、ＣＰＵ４０１は、固定機構２６による検体ラックＲのロックを解除して（Ｓ１１２）、図８のＳ１０４で停止させた検体ラックＲの搬送を再開する（Ｓ１１３）。そして、ＣＰＵ４０１は、図８のＳ１０６で中断させた１次取込を再開させる（Ｓ１１４）。そして、処理が図８のＳ１０１に戻される。
【００９５】
ここで、オーダ登録画面Ｄ５において測定オーダが登録された場合、この検体を収容する検体容器Ｔが位置Ｐ２に位置付けられると、図６のＳ２０においてＹＥＳと判定され、登録された測定オーダに基づいて検体の測定が行われる。また、オーダ登録画面Ｄ５において測定オーダが登録されていない場合、図６のＳ２０においてＮＯと判定され、バーコードリーダ２５により読み取られた検体ＩＤまたは登録された検体ＩＤに基づいてホストコンピュータから測定オーダが取得され、取得された測定オーダに基づいて検体の測定が行われる。
【００９６】
たとえば、緊急検体を収容する検体容器ＴにバーコードラベルＴ３が貼付されている場合、指示画面Ｄ３の画像Ｄ３１を参照して、割込み可能な保持位置に検体容器Ｔをセットする。この場合、オーダ登録画面Ｄ５を用いて測定オーダを手入力することなく、測定再開ボタンＤ３３が押下されると、バーコードリーダ２５に読み取られた検体ＩＤに基づいて、緊急検体の測定オーダがホストコンピュータから取得される。そして、緊急検体の測定は、取得された測定オーダに基づいて行われる。
【００９７】
次に、選択画面Ｄ２のラック割込みボタンＤ２２が押下されると（図８のＳ１１５：Ｙ
ＥＳ）、ＣＰＵ４０１は、Ｓ１０４、Ｓ１０６と同様、検体ラックＲの搬送を停止させ（Ｓ１１６）、１次取込を中断する（Ｓ１１７）。続いて、ＣＰＵ４０１は、２次分注を中断する（Ｓ１１８）。具体的には、図７に示す処理において、Ｓ５５の処理が中断される。
【００９８】
続いて、図９（ｂ）を参照して、ＣＰＵ４０１は、表示入力部４１に、図１０（ｂ）に示す指示画面Ｄ４を表示する（Ｓ１１９）。指示画面Ｄ４の画像Ｄ４１には、中央部２１ｂにある検体ラックＲを取り出して、右槽２１ａに移動させることを促す情報が示される。また、画像Ｄ４１には、右槽２１ａに移動させた検体ラックＲよりも後方、すなわち、右槽２１ａの最前列に割込みラックを設置することを促す情報が示される。オペレータは画像Ｄ４１を参照して、割込みラックを右槽２１ａの後方（供給ラインＬの右端）にセットし、測定中であった検体ラックＲを、割込みラックの１つ手前に位置付ける。
【００９９】
図９（ｂ）に戻り、オーダ手入力ボタンＤ４２が押下されると（Ｓ１２０：ＹＥＳ）、図９（ａ）のＳ１０９と同様、ＣＰＵ４０１は、表示入力部４１に、図１１に示すオーダ登録画面Ｄ５を表示する（Ｓ１２１）。この場合のオーダ登録画面Ｄ５のリストＤ５２には、検体の情報は一切表示されておらず、且つ、全ての保持位置の“opt”には、予め緊
急検体であることを示す“Ｓ”が表示される。また、全ての保持位置に緊急検体をセット可能であるため、リストＤ５２の全ての保持位置が入力可能な状態となっている。なお、オーダ登録画面Ｄ５の操作手順については、検体割込みの場合と同様である。
【０１００】
続いて、オーダ登録画面Ｄ５のＯＫボタンＤ５６が押下されると、ＣＰＵ４０１は、リストＤ５２に登録された情報（保持位置と、検体ＩＤと、緊急フラグと、測定オーダ）をハードディスク４２に記憶する（Ｓ１２２）。そして、処理がＳ１２０に戻される。なお、Ｓ１２２で割込みラックにセットされた検体に関する情報が記憶されると、図７のＳ５３において、ラック割込みにより緊急フラグが設定された検体があると判定される。
【０１０１】
指示画面Ｄ４の測定再開ボタンＤ４３が押下されると（Ｓ１２３：ＹＥＳ）、ＣＰＵ４０１は、図６に示す処理を、最初の処理（Ｓ１１）に戻す（Ｓ１２４）。そして、ＣＰＵ４０１は、図８のＳ１１６で停止させた検体ラックＲの搬送を再開し（Ｓ１２５）、図８のＳ１１７、Ｓ１１８で中断させた１次取込と２次分注を再開させる（Ｓ１２６）。これにより、右槽２１ａの最前列にセットされた割込みラックについて、図６の処理が最初から行われる。そして、割込みラックにセットされた検体容器Ｔ内の緊急検体の測定が、図６で説明した場合と同様にして行われる。
【０１０２】
以上、本実施の形態によれば、検体割込みが行われる場合、搬送装置２による検体ラックＲの搬送が停止され、図１０（ａ）の指示画面Ｄ３には、オペレータは停止された検体ラックＲへ緊急検体をセットするよう促す情報が表示される。これにより、操作に不慣れなオペレータであっても、緊急検体の割込みを簡単に行うことができる。また、本実施の形態では、通常検体の場合と同様に供給ラインＬから検体が吸引される。これにより、緊急検体をセットするための機構が別途用いられる場合に比べて、検体分析装置１の複雑化、大型化を抑制することができる。
【０１０３】
また、本実施の形態によれば、検体割込みが行われる場合、中央部２１ｂにある検体ラックＲがロックされる。これにより、オペレータが緊急検体をセットする際、検体ラックＲが移動してしまうことによる、検体の誤吸引等の不具合が生じることを防止できる。
【０１０４】
また、本実施の形態によれば、検体割込みが行われる場合に、図１２（ａ）に示すようにセットされる緊急検体に関する情報が入力されると、この緊急検体の測定は、入力された測定オーダに基づいて行われる。他方、セットされる緊急検体に関する情報が入力され
ないと、この緊急検体の測定オーダは、バーコードリーダ２５により読み取られた検体ＩＤまたは登録された検体ＩＤに基づいてホストコンピュータから測定オーダが取得される。そして、この緊急検体の測定は、取得された測定オーダに基づいて行われる。これにより、緊急検体に関する情報の入力の有無に拘わらず、緊急検体の測定を行うことができるため、入力の有無に応じたモードを選択する手間が省略される。よって、操作に不慣れなオペレータであっても、緊急検体の割込みを簡単且つ迅速に行うことができる。
【０１０５】
また、本実施の形態によれば、図１０（ａ）の指示画面Ｄ３には、検体ラックＲの複数の保持位置のうち緊急検体をセット可能な保持位置が表示される。これにより、緊急検体のセット可能位置の把握が容易になる。また、指示画面Ｄ３には、緊急検体をセット可能な保持位置の番号が表示されるため、さらに緊急検体のセット可能位置の把握が容易になる。また、指示画面Ｄ３には、緊急検体をセット可能な保持位置が図示された検体ラックＲの画像が含まれる。これにより、さらに緊急検体のセット可能位置の把握が容易になる。
【０１０６】
また、本実施の形態によれば、指示画面Ｄ３には、緊急検体をセット不可能な保持位置がハッチングで表示される。これにより、緊急検体をセット不可能な保持位置の把握が容易になる。
【０１０７】
また、本実施の形態によれば、指示画面Ｄ３は、緊急検体の情報を入力するためのオーダ登録画面Ｄ５を表示させるためのオーダ手入力ボタンＤ３２を含んでいる。これにより、操作に不慣れなオペレータであっても、迅速にオーダ登録画面Ｄ５を表示させることができる。
【０１０８】
また、本実施の形態によれば、オーダ登録画面Ｄ５において、ＯＫボタンＤ５６が押下されると、リストＤ５２に登録された情報がハードディスク４２に記憶され、ボタンＤ５５が押下されると、リストＤ５２において選択した行の情報が削除される。たとえば、検体割込みが行われる場合に、検体ラックＲが通常検体で埋まっており、これら通常検体の情報がハードディスク４２に記憶されているような場合でも、通常検体に関する情報を削除することができる。そして、この保持位置から通常検体を取り除き、この保持位置に緊急検体をセットし、緊急検体を割り込ませることができる。
【０１０９】
また、本実施の形態によれば、検体割込みが行われる場合に、オーダ登録画面Ｄ５において、緊急検体をセット不可能な保持位置は、斜線で示され、オペレータが編集できないよう構成される。これにより、緊急検体をセット不可能な保持位置に、誤って測定オーダを入力することが回避される。
【０１１０】
また、本実施の形態によれば、緊急検体の測定が行われる場合でも、既に１次取込が行われた検体について、２次分注以降の動作が継続される。これにより、既に吸引された検体を効率的に処理することができる。
【０１１１】
また、本実施の形態によれば、ラック割込みとして、検体ラックＲに緊急検体をセットして、この検体ラックＲを供給ラインＬに割り込ませることができる。これにより、検体割込みのように検体容器Ｔごとに緊急検体の割込みを行うのではなく、検体ラックＲごとに緊急検体の割込みを行うことができる。
【０１１２】
以上、本発明の実施の形態について説明したが、本発明は、上記実施の形態に制限されるものではなく、また、本発明の実施の形態も上記以外に種々の変更が可能である。
【０１１３】
たとえば、上記実施の形態では、検体分析装置１を血液凝固分析装置としたが、これに
限らず、検体分析装置１は、検体としてどのような臨床検体を分析する装置であっても良い。たとえば、検体分析装置１は、血清を測定する免疫分析装置あるいは生化学分析装置、血液中の血球を計数する血球計数装置、尿を分析する尿分析装置、または骨髄液を分析する分析装置であっても良い。
【０１１４】
また、上記実施の形態では、表示入力部４１は、タッチパネル型のディスプレイであったが、表示部と入力部に分かれていても良い。
【０１１５】
また、上記実施の形態では、検体割込みボタンＤ２１かラック割込みボタンＤ２２のいずれかが押下されると検体ラックＲの搬送が停止するように構成されたが、検体割込みボタンＤ１２が押下され、選択画面Ｄ２が表示された時点で検体ラックＲの搬送を停止してもよい。
【０１１６】
また、上記実施の形態では、指示画面Ｄ３、Ｄ４により、緊急検体をセット可能な保持位置と割込みラックをセットする位置などがオペレータに示されたが、検体分析装置１に接続されたスピーカーから音声として出力され、オペレータに報知されるようにしても良い。
【０１１７】
また、上記実施の形態では、ラック割込みの場合に、緊急フラグが設定された検体については、既に１次取込された検体よりも先に２次分注が行われた。しかしながら、これに限らず、ラック割込みだけでなく検体割込みの場合にも、緊急フラグが設定された検体について、先に２次分注が行われるようにしても良い。
【０１１８】
図１３（ａ）は、図７の処理において、Ｓ５３に替えてＳ２０１が追加されたフローチャートである。検体割込みの場合に、緊急検体がセットされた保持位置に対して緊急フラグが設定されると、Ｓ２０１においてＹＥＳと判定される。これにより、ラック割込みと検体割込みの何れが行われているかに拘わらず、緊急検体がセットされた場合は、緊急検体は通常検体よりも先に２次分注されるようになる。よって、緊急検体の測定を迅速に行うことができる。
【０１１９】
また、上記実施の形態では、検体割込みの場合に、検体ラックＲにセットされた未分注の通常検体と緊急検体は、検体ラックＲの保持位置に応じて順に１次取込が行われた。しかしながら、これに限らず、検体ラックＲに保持されている緊急検体について、通常検体よりも先に１次取込が行われるようにしても良い。
【０１２０】
図１３（ｂ）は、図６の処理において、Ｓ１５とＳ１６の間にＳ２１１が追加され、Ｓ２１１の後段にＳ２１２〜Ｓ２１４が追加されたフローチャートである。
【０１２１】
検体ラックＲの何れかの保持位置に、緊急フラグの設定がされた緊急検体がある場合（Ｓ２１１：ＹＥＳ）、ＣＰＵ４０１は、この保持位置ｎｉに緊急フラグの設定があるかを判定する（Ｓ２１２）。緊急フラグの設定があると（Ｓ２１２：ＹＥＳ）、上記実施の形態と同様、この保持位置ｎｉの検体が１次取込される。他方、緊急フラグの設定がないと（Ｓ２１２：ＮＯ）、検体ラックＲが１ピッチだけ横方向に送られ（Ｓ２１３）、変数ｉの値が１増やされる（Ｓ２１４）。これにより、緊急検体がセットされた検体ラックＲにおいて、緊急フラグの設定がされた検体のみが測定され、緊急フラグの設定がされていない検体は１次取込がスキップされる。よって、検体ラックＲにセットされた緊急検体の測定を迅速に行うことができる。
【０１２２】
なお、上記実施の形態では、横送り機構２４は、検体ラックＲを左方向のみに搬送できるよう構成されたが、図１３（ｂ）のように緊急検体を他の未処理の検体に対して優先的
に処理する場合、横送り機構２４は、検体ラックＲを左方向と右方向の何れにも搬送できるよう構成されるのが望ましい。この場合、図１３（ｂ）に示す変更例において、緊急検体の１次取込が優先して行われた後、検体ラックＲが右方向に搬送されることにより、スキップされた通常検体の１次取込が適宜行われるよう構成される。なお、順方向と逆方向の両方向に検体ラックＲを搬送可能な搬送装置としては、たとえば特開２０１０−１３９５０１号公報に記載されているものを採用することが好ましい。
【０１２３】
図１４は、図１３（ｂ）に示す変更例において、Ｓ２１２の後段にＳ２２１、Ｓ２２２が追加され、Ｓ２４の後段にＳ２２３〜Ｓ２２５が追加されたフローチャートである。
【０１２４】
保持位置ｎｉに緊急フラグの設定がないと（Ｓ２１２：ＮＯ）、ＣＰＵ４０１は、この保持位置ｎｉよりも後ろの保持位置に、緊急フラグの設定がされた緊急検体があるかを判定する（Ｓ２２１）。後ろの保持位置に緊急フラグの設定があると（Ｓ２２１：ＹＥＳ）、ＣＰＵ４０１は、保持位置ｎｉについて、検体容器Ｔが未吸引であることを示す未吸引フラグをセットする。未吸引フラグは、保持位置に対応付けてハードディスク４２に記憶される。そして、検体ラックＲが１ピッチだけ横方向に送られ（Ｓ２１３）、変数ｉの値が１増やされ（Ｓ２１４）、処理がＳ２４に進められる。他方、後ろの保持位置に緊急フラグの設定がないと（Ｓ２２１：ＮＯ）、処理がＳ１６に進められ、この保持位置ｎｉと後ろの保持位置について、Ｓ１６〜Ｓ２３の処理が行われる。
【０１２５】
変数ｉの値が１０より大きくなると（Ｓ２４：ＹＥＳ）、ＣＰＵ４０１は、未吸引フラグが設定された検体があるか、すなわち、位置Ｐ２よりも左方向に搬送された検体があるかを判定する（Ｓ２２３）。このような検体があると（Ｓ２２３：ＹＥＳ）、ＣＰＵ４０１は、この検体ラックＲを右方向に搬送して（Ｓ２２４）、未吸引フラグが設定された検体について、１次取込が行われるよう、Ｓ１６〜Ｓ２３の処理を行う（Ｓ２２５）。これにより、検体ラックＲにセットされた緊急検体の測定を迅速に行うことができると共に、通常検体の測定も連続的に行われる。また、オペレータは、通常検体の１次取込がスキップされた検体ラックＲを、再度右槽２１ａにセットする手間が省略することができる。
【０１２６】
また、上記実施の形態では、検体割込みボタンＤ２１が操作されると、搬送中の検体ラックＲに対する搬送が停止され、当該検体ラックＲが固定機構２６によって固定された。しかしながら、検体ラックＲは、必ずしも固定されなくても良く、再開操作が行われるまでの間、移動可能であっても良い。ただし、こうすると、緊急検体を検体ラックＲに設置する際に、検体ラックＲが移動して、未吸引の検体容器Ｔが吸引位置よりも左側に移動し、当該検体容器Ｔに収容された検体に対する処理が行われなくなることが起こり得る。よって、このような問題を解消するためには、上記のように、検体割込みボタンＤ２１の操作に応じて、検体ラックＲが、固定機構２６によって固定されることが好ましい。また、特開２０１０−１３９５０１号公報に記載されているように、搬送機構が検体ラックを固定して搬送する搬送装置では固定機構２６のような移動を規制するための専用の機構は不要である。
【０１２７】
また、上記実施の形態では、検体割込みボタンＤ２１が操作されると、搬送中の検体ラックＲに対する搬送が停止され、検体割込みボタンＤ２１の操作時の位置に検体ラックＲが停止された。しかしながら、検体ラックＲが左方向のみならず右方向にも移動可能であるような場合、検体ラックＲの停止位置は、必ずしも、検体割込みボタンＤ２１の操作時の位置でなくても良く、予め決められた位置に検体ラックＲが停止されても良い。この場合、検体割込みボタンＤ２１の操作に応じて、吸引済みの最後尾の検体容器Ｔの保持位置が記憶される。そして、再開操作時には、この保持位置よりも一つ後ろ側の保持位置から、検体の吸引動作が再開される。
【０１２８】
また、上記実施の形態では、ラック割込みボタンＤ２２が操作された場合、吸引中の検体ラックＲは、割込み対象の検体ラックＲの一つ手前側の右槽２１ａの位置にセットされる必要があった。しかしながら、吸引中の検体ラックＲのセット位置はこれに限定されるものではなく、たとえば、右槽２１ａの任意の位置にセットされても良い。この場合、ラック割込みボタンＤ２２の操作に応じて、吸引済みの最後尾の検体容器Ｔの保持位置と、当該検体ラックＲのラックＩＤが記憶される。そして、再開操作後に、バーコードリーダ２３によって読み取られたラックＩＤと記憶したラックＩＤとを照合し、両者が一致した場合には、記憶した保持位置よりも一つ後ろ側の保持位置から、検体の吸引動作が再開される。
【０１２９】
また、上記実施の形態では、検体割込みの場合に、オーダ登録画面Ｄ５のボタンＤ５４が押下されることにより緊急フラグが設定された。しかしながら、これに限らず、緊急フラグの設定は、図１５（ａ）に示すように、指示画面Ｄ３で直接行えるようにしても良い。この場合の指示画面Ｄ３には、画像Ｄ３１内において、緊急検体をセットした保持位置をタッチすることを促すメッセージが表示される。オペレータは、緊急検体をセットした後、緊急検体セットした保持位置をタッチする。これにより、緊急フラグが設定され、図１２（ｂ）と同様、緊急検体をセットした保持位置に“Ｓ”が表示される。このように、指示画面Ｄ３で緊急フラグの設定が可能になると、オペレータは、オーダ手入力ボタンＤ３２を押下した後、オーダ登録画面Ｄ５を介して緊急フラグの設定を行う必要がなくなり、迅速に緊急検体の測定を開始することができる。
【０１３０】
また、上記実施の形態では、指示画面Ｄ３において割込み可能な保持位置が示されたが、１つの緊急検体を迅速に測定したい場合には、図１５（ｂ）に示すように、予め緊急検体をセットする位置が指定されていても良い。この場合の指示画面Ｄ３には、割込み可能な保持位置のうち、ＣＰＵ４０１により選択された１つの保持位置（たとえば、割込み可能な保持位置のうち最も左の保持位置）に、緊急検体をセットすることを促すメッセージが表示される。この場合、画像Ｄ３１内において、予め指定された保持位置には“Ｓ”が表示されており、オペレータは、緊急フラグを設定するために、図１５（ａ）の場合のように緊急検体をセットした保持位置をタッチする必要がない。これにより、図１５（ａ）の場合に比べて、オペレータは、さらに迅速に緊急検体の測定を開始することができる。
【０１３１】
また、図１５（ｂ）に示す指示画面Ｄ３は、緊急検体の数を指定するための入力ボックスＤ３４が追加されることにより、図１５（ｃ）に示す指示画面Ｄ３としても良い。オペレータにより緊急検体の数が入力ボックスＤ３４に入力されると、画像Ｄ３１内の割込み可能位置のうち、入力ボックスＤ３４に入力された緊急検体の数だけ、左から順に“Ｓ”が表示されるようになる。これにより、オペレータは、オーダ登録画面Ｄ５を介して緊急フラグの設定を行う必要がなくなると共に、複数の緊急検体を割込み可能位置にセットすることができるため、複数の緊急検体の測定を迅速に開始することができる。
【０１３２】
この他、本発明の実施の形態は、特許請求の範囲に示された技術的思想の範囲内において、適宜、種々の変更が可能である。
【符号の説明】
【０１３３】
１  …  検体分析装置（分析装置）
２  …  搬送装置
２５  …  バーコードリーダ（検体情報取得部）
２６  …  固定機構
３  …  測定装置
４  …  情報処理装置（制御部）
４１  …  表示入力部（情報入力部）
４０１  …  ＣＰＵ（制御部）
Ｄ３  …  指示画面（画面）
Ｄ３２  …  オーダ手入力ボタン（ボタン）
Ｄ５  …  オーダ登録画面（情報入力画面）
Ｌ  …  供給ライン
Ｐ２  …  位置（吸引位置）
Ｒ  …  検体ラック
Ｒ１  …  保持部
ｎ１〜ｎ１０  …  保持位置
Ｔ  …  検体容器
【図１】
2015010961.tif 000003
【図２】
2015010961.tif 000004
【図３】
2015010961.tif 000005
【図４】
2015010961.tif 000006
【図５】
2015010961.tif 000007
【図６】
2015010961.tif 000008
【図７】
2015010961.tif 000009
【図８】
2015010961.tif 000010
【図９】
2015010961.tif 000011
【図１０】
2015010961.tif 000012
【図１１】
2015010961.tif 000013
【図１２】
2015010961.tif 000014
【図１３】
2015010961.tif 000015
【図１４】
2015010961.tif 000016
【図１５】
2015010961.tif 000017